(57)【要約】【課題】廃棄される個装パッケージの再利用を可能とし、しかも宣伝効果を長く継続することのできる環形蛍光ランプ個装パッケージを提供することにある。【解決手段】環形蛍光ランプを収納する環形蛍光ランプ個装パッケージ１の表面２あるいは裏面３に、丸形状もしくは四角形状の点線部６により切り取りが可能で且つ所定の厚さを備えた団扇４を有する。その団扇４は、中心よりも外周部に近い位置に、団扇４を保持するための指穴５を形成するとともに、団扇部と団扇部以外の部分とを同一材質で形成する。【選択図】      図１
2005096821.tif 000002
【特許請求の範囲】
【請求項１】
環形蛍光ランプを収納する環形蛍光ランプ個装パッケージにおいて、前記パッケージを形成する表面あるいは裏面に、丸形状もしくは四角形状の点線部により切り取りが可能で且つ所定の厚さを備えた団扇を有することを特徴とする団扇付き環形蛍光ランプ個装パッケージ。
【請求項２】
前記団扇は、中心よりも外周部に近い位置に、前記団扇を保持するための指穴を形成していることを特徴とする請求項１記載の団扇付き環形蛍光ランプ個装パッケージ。
【請求項３】
前記団扇は、前記団扇以外の部分と同一材質で形成したことを特徴とする請求項１記載の団扇付き環形蛍光ランプ個装パッケージ。
【請求項４】
環形蛍光ランプを収納する環形蛍光ランプ個装パッケージにおいて、前記パッケージを形成する表面および裏面のそれぞれに、所定の厚さを備えた団扇を有することを特徴とする団扇付き環形蛍光ランプ個装パッケージ。
【請求項５】
前記団扇は、共に丸形状，四角形状もしくはそれらの組み合わせで形成することを特徴とする請求項４記載の団扇付き環形蛍光ランプ個装パッケージ。
【請求項６】
環形蛍光ランプを収納する環形蛍光ランプ個装パッケージにおいて、前記パッケージを形成する表面および裏面のそれぞれに、点線部で切り取り可能な同一サイズの団扇部を備え、前記同一サイズの団扇部を貼り合わせて所定の厚さを持った１つの団扇を形成することを特徴とする団扇付き環形蛍光ランプ個装パッケージ。
【請求項７】
前記団扇は、前記団扇部を共に丸形状もしくは四角形状とするとともに、それぞれに指穴部を形成していることを特徴とする請求項６記載の団扇付き環形蛍光ランプ個装パッケージ。
【発明の詳細な説明】
【技術分野】
【０００１】
本発明は団扇付き環形蛍光ランプ個装パッケージに関し、特に環形蛍光ランプを取り出した後でも、または保存した状態でも、団扇のみを切り離して使用することのできる団扇付き環形蛍光ランプ個装パッケージに関する。
【背景技術】
【０００２】
従来の環形蛍光ランプ個装パッケージは、種々の工夫が凝らされている。例えば、それは包装内容物の固定緩衝材としての改良であったり、あるいは簡便な組み立て構造体であったり、あるいは開梱時の作業性を改良する梱包体であったりするものが知られている。
【０００３】
また、環形蛍光ランプの包装箱としては、例えば使用する段ボールの量を減らし、組み立て工数をも軽減する目的で提供されたものも知られている（特許文献１参照）。
【０００４】
さらには、環状ランプ用ホルダーとして、内容物の動揺や脱落を確実に防止する技術も紹介されている（特許文献２参照）。
【０００５】
【特許文献１】特開２００２−２７４５８２号公報（第３頁、図１）
【特許文献２】特開平１１−１３９４７７号公報（第３頁、図２）
【発明の開示】
【発明が解決しようとする課題】
【０００６】
上述した従来の環形蛍光ランプ個装パッケージなどにおける梱包資材は、製品輸送目的が終われば廃棄されるものである。かかる蛍光ランプパッケージにおいても、蛍光ランプを取り出してしまえば、パッケージそのものはエンドユーザーで処分されている。
【０００７】
本発明の目的は、環形蛍光ランプの形状的特長を生かしたパッケージの再利用を可能とする団扇付き環形蛍光ランプ個装パッケージを提供することにある。
【課題を解決するための手段】
【０００８】
本発明は、上述した課題を解決するために、環形蛍光ランプを収納する環形蛍光ランプ個装パッケージにおいて、前記パッケージを形成する表面あるいは裏面に、丸形状もしくは四角形状の点線部により切り取りが可能で且つ所定の厚さを備えた団扇を有して構成される。
【０００９】
この団扇は、中心よりも外周部に近い位置に、前記団扇を保持するための指穴を形成したり、団扇の部分と団扇以外の部分とを同一材質で形成することができる。
【００１０】
また、本発明は、環形蛍光ランプを収納する環形蛍光ランプ個装パッケージにおいて、前記パッケージを形成する表面および裏面のそれぞれに、所定の厚さを備えた団扇を有して構成される。
【００１１】
その団扇は、共に丸形状，四角形状もしくはそれらの組み合わせで形成することができる。
【００１２】
さらに、本発明は、環形蛍光ランプを収納する環形蛍光ランプ個装パッケージにおいて、前記パッケージを形成する表面および裏面のそれぞれに、点線部で切り取り可能な同一サイズの団扇部を備え、前記同一サイズの団扇部を貼り合わせて所定の厚さを持った１つの団扇を形成するように構成される。
【００１３】
その団扇は、前記団扇部を共に丸形状もしくは四角形状とするとともに、それぞれに指穴部を形成することができる。
【発明の効果】
【００１４】
本発明の団扇付き環形蛍光ランプ個装パッケージは、取り外しが容易であるので、何時でも、どこでも簡易団扇あるいは敷物として利用できるという効果がある。
【００１５】
また、本発明のパッケージは、その表面部あるいは裏面部を利用することにより、宣伝効果を持続できるという効果がある。
【発明を実施するための最良の形態】
【００１６】
本発明の団扇付き環形蛍光ランプ個装パッケージは、そのパッケージの表面あるいは裏面を切り取ることで簡易団扇や敷物となる構造を有することにより、箱の有効利用を行い、特にキャラクターデザイン付き商品や団扇部に宣伝効果をもたせることで、商品価値を高めることを特長としている。以下、図面を参照し、本発明の実施例について説明する。
【実施例１】
【００１７】
図１は本発明の１実施例を示す蛍光ランプ個装パッケージの展開図である。図１に示すように、本実施例は蛍光ランプ個装パッケージ１を展開した状態、すなわち箱表面２および箱裏面３を開いた状態を示している。この場合、箱表面２には、点線部６により切り取りが可能な、しかも所定の厚さを備えた丸形状の団扇４が形成されている。この簡易的な団扇４は、中心よりも外周部に近い位置に、団扇４を保持するための指穴５を形成しており、必要に応じて孔を開けることができる。また、この団扇４は、団扇以外の部分と同一材質で形成している。
【００１８】
本実施例では、このように環形蛍光ランプ個装パッケージ１に波線の切り込みを入れることにより、切り取って簡易団扇として再用することができる。要するに、内部商品も円形であり、印刷デザイン的に環形蛍光ランプをイメージしたものが多く、違和感無くデザインが可能であることから、団扇としての再利用を行えるものである。
【００１９】
図２（ａ）〜（ｃ）はそれぞれ図１におけるランプ個装パッケージより団扇を取り外す手順を示した個装パッケージの斜視図である。まず、図２（ａ）に示すように、環形蛍光ランプ7を収納した個装パッケージ１の最大平面部をなす表面２に丸い形状の波線切り込み６を入れ、更に波線円枠内部にも親指を入れる穴５となる波線切り込みを入れておく。
【００２０】
ついで、図２（ｂ），（ｃ）に示すように、内部商品７を取り出してから、これらの波線部を切り取ることにより、切り取り側を簡易団扇４として利用することが可能となる。
【００２１】
すなわち、一般市販されている環形蛍光ランプ７の個装パッケージ１は、内部商品の形状に違いがないことから、共に同じ材質であり、しかもその形状はほぼ同一形状となっている。  例えば、その形状は正方形の大きな表面２および裏面３を対面にもち、その周囲四側面に細長い長方形面をもつ立体構造であり、団扇４のような大きさの円形平面をが容易に得られる形状である。
【００２２】
この大きな面２あるいは３に切り取り式の簡易団扇４を取り付けることにより、製品使用後には廃棄される梱包物を再利用可能としている。更に、パッケージ１のデザインでは、先の大きな正方形面を重点にデザインされており、キャラクターなどのデザインを表示するにも容易であることから、団扇４として使用する部分に宣伝性のあるデザインを配置すれば、商品使用以降も宣伝効果を発揮することができる。  本実施の形態によれば、環形蛍光ランプ個装パッケージの表面あるいは裏面を簡易団扇として利用することができる。
【００２３】
要するに、一般に市販されている環形蛍光ランプの個装パッケージの形状は、内部商品の形状に違いがないことから、各社の材質ともにほぼ同一形状となっている。すなわち、その形状は、正方形形状の大きな面を対面にもち、その周囲４側面に細長い長方形形状をした面をもつ立体構造であり、団扇のような大きさの円形平面を容易に得られる形状である。
【００２４】
この大きな面に切り取り式の簡易団扇を取り付けることにより、製品使用後には廃棄される梱包物の再利用を可能としている。更に、パッケージデザインでは、先の大きな正方形面を重点にデザインされており、キャラクターなどのデザインを表示するにも容易であることから、団扇として使用する部分に宣伝性のあるデザインを配置することで、商品使用以降も宣伝効果を得られるものにすることができる。
【実施例２】
【００２５】
以上は、本発明の１実施例について説明したが、本発明は、この他にも両面に団扇を形成したり、あるいは団扇の形状を丸形状,四角形状としたり、もしくは丸形状と四角形状の組み合わせで形成することができる。さらには、本発明のパッケージにおける団扇に、スポーツ観戦用などのデザインを取り入れれば、応援グッズとしても利用可能である。
【実施例３】
【００２６】
さらに、本発明は、これらの他にも、パッケージを形成する表面および裏面のそれぞれに、点線部で切り取り可能な同一サイズの団扇部を備え、これら同一サイズの団扇部を貼り合わせて所定の厚さを持った１つの団扇を形成することもできる。その場合にも、団扇は、団扇部を共に丸形状もしくは四角形状とするとともに、それぞれに指穴部を形成している。かかる実施例では、実施例１と比較して、両面表示による宣伝効果を倍増させることができる。
【産業上の利用可能性】
【００２７】
本発明は、団扇にスポーツ観戦用などのデザインを取り入れれば、応援グッズとしても利用可能であり、団扇をキャンプ用品として持参したり、あるいは家庭におけるやかん敷などの断熱部材にも適用することができる。
【図面の簡単な説明】
【００２８】
【図１】本発明の１実施例を示す蛍光ランプ個装パッケージの展開図である。
【図２】図１におけるランプ個装パッケージより団扇を取り外す手順を示した個装パッケージの斜視図である。
【符号の説明】
【００２９】
１    環形蛍光ランプ個装パッケージ
２    箱表面
３    箱裏面
４    団扇
５    指穴
６    点線部
７    環形蛍光ランプ
【図１】
2005096821.tif 000003
【図２】
2005096821.tif 000004